(57)【特許請求の範囲】
【請求項１】
設置領域において上方に凸設された複数の支持柱の少なくとも一つに対して固定され、
棒状体を呈し、少なくともその上側曲面に沿って、太陽光発電パネルの全面が該上側曲面から離間することなく、一体的に設けられた太陽光発電装置用架台において、
前記太陽光発電装置用架台のベースの前記上側曲面の頭頂部に設けられた中央凹部と、その上を蓋として閉じるシート状の前記太陽光発電パネルにより形成され、配線が収容される第二空洞を備える
ことを特徴とする太陽光発電パネル一体型の太陽光発電装置用架台。
【請求項２】
請求項１に記載の太陽光発電パネル一体型の太陽光発電装置用架台において、
前記支持柱に対する固定は、水平に固定されるものである
ことを特徴とする太陽光発電パネル一体型の太陽光発電装置用架台。
【請求項３】
請求項１または請求項２に記載の太陽光発電パネル一体型の太陽光発電装置用架台において、
他の太陽光発電パネル一体型の太陽光発電装置用架台と互いに連結して一本の棒状体を形成可能な係合部を、前記第二空洞の辺縁部に備える
ことを特徴とする太陽光発電パネル一体型の太陽光発電装置用架台。
【請求項４】
請求項３に記載の太陽光発電パネル一体型の太陽光発電装置用架台において、
前記辺縁部は、係合される双方の配線を互いに電気的に接続する電気的接続部を備える
ことを特徴とする太陽光発電パネル一体型の太陽光発電装置用架台。
【請求項５】
請求項４に記載の太陽光発電パネル一体型の太陽光発電装置用架台において、
前記電気的接続部は、他の太陽光発電パネル一体型の太陽光発電装置用架台と互いに連結して一本の棒状体を形成する場合に、物理的な前記連結時に同時に電気的接続も完了するジョイントコネクタで構成される
ことを特徴とする太陽光発電パネル一体型の太陽光発電装置用架台。
【請求項６】
請求項１乃至請求項５のいずれか一項に記載の太陽光発電パネル一体型の太陽光発電装置用架台において、
前記太陽光発電装置用架台のベースの長手方向に沿って内部に冷却水の通水が可能な第一空洞を有する
ことを特徴とする太陽光発電パネル一体型の太陽光発電装置用架台。
【請求項７】
請求項６に記載の太陽光発電パネル一体型の太陽光発電装置用架台において、
前記第一空洞は、設置領域に育成する植物に散水が可能なように、下方に複数の散水孔を備える
ことを特徴とする太陽光発電パネル一体型の太陽光発電装置用架台。
【請求項８】
請求項６または請求項７に記載の太陽光発電パネル一体型の太陽光発電装置用架台において、
前記第一空洞に配置された通水ホースをさらに備え、前記通水ホース内を冷却水が通水される
ことを特徴とする太陽光発電パネル一体型の太陽光発電装置用架台。
【請求項９】
請求項６乃至請求項８のいずれか一項に記載の太陽光発電パネル一体型の太陽光発電装置用架台において、
通水がなされた後の前記冷却水は、温水として利用される
ことを特徴とする太陽光発電パネル一体型の太陽光発電装置用架台。
【請求項１０】
請求項１乃至請求項９のいずれか一項に記載の太陽光発電パネル一体型の太陽光発電装置用架台において、
前記太陽光発電パネルは、シートタイプに構成されており、前記太陽光発電装置用架台のベースからスライド摺動させて取り外し交換可能に構成される
ことを特徴とする太陽光発電パネル一体型の太陽光発電装置用架台。
【請求項１１】
請求項１乃至請求項１０のいずれか一項に記載の太陽光発電パネル一体型の太陽光発電装置用架台において、
その断面形状は、上面が曲面で構成され底面が平面で構成された蒲鉾型（ハーフパイプ型）である
ことを特徴とする太陽光発電パネル一体型の太陽光発電装置用架台。
【請求項１２】
請求項１乃至請求項１１のいずれか一項に記載の太陽光発電パネル一体型の太陽光発電装置用架台において、
前記太陽光発電装置用架台のベースは、アルミニウム素材で形成される
ことを特徴とする太陽光発電パネル一体型の太陽光発電装置用架台。
【請求項１３】
請求項１乃至請求項５のいずれか一項に記載の太陽光発電パネル一体型の太陽光発電装置用架台において、
前記太陽光発電パネルは、ペロブスカイト薄膜太陽電池セルである
ことを特徴とする太陽光発電パネル一体型の太陽光発電装置用架台。
【請求項１４】
請求項１３に記載の太陽光発電パネル一体型の太陽光発電装置用架台において、
前記太陽光発電装置用架台のベースは、透明樹脂素材で形成される
ことを特徴とする太陽光発電パネル一体型の太陽光発電装置用架台。
【請求項１５】
請求項１３または請求項１４に記載の太陽光発電パネル一体型の太陽光発電装置用架台において、
前記太陽光発電装置用架台のベースは、その長手方向に沿って通水が可能なように、内部が中空の筒状に形成された第一空洞を備える
ことを特徴とする太陽光発電パネル一体型の太陽光発電装置用架台。
【請求項１６】
請求項１５に記載の太陽光発電パネル一体型の太陽光発電装置用架台において、
前記中空の筒状に形成された前記第一空洞の下方に散水が可能な散水孔をさらに備える
ことを特徴とする太陽光発電パネル一体型の太陽光発電装置用架台。
【請求項１７】
請求項１３乃至請求項１６のいずれか一項に記載の太陽光発電パネル一体型の太陽光発電装置用架台において、
前記太陽光発電パネルは、前記太陽光発電装置用架台のベースの全周囲に一体不可分に設けられる
ことを特徴とする太陽光発電パネル一体型の太陽光発電装置用架台。
【請求項１８】
請求項１７に記載の太陽光発電パネル一体型の太陽光発電装置用架台において、
前記太陽光発電パネルは、前記太陽光発電装置用架台のベースの全周囲に、塗布形成されたものである
ことを特徴とする太陽光発電パネル一体型の太陽光発電装置用架台。
【発明の詳細な説明】
【技術分野】
【０００１】  本発明は、太陽光発電パネル一体型の太陽光発電装置用架台等に関する。
【背景技術】
【０００２】  従来、太陽光発電装置の発電パネルを設置する架台は、単管パイプや専用支柱等が多く用いられている。単管パイプ等は、構成の自由度が極めて大きいため、現況に応じて作業員が適宜微調整して設置することが可能である。一方、その自由度の大きさ故に設置作業者のセンスや熟練度が、作業効率や設置精度に大きく反映されるものとなることが知られている。作業自体があまり規格化されていないことから手間もかかり、作業工程数も増えて工期日数も増える傾向が生じてしまう懸念が知られている。【０００３】  例えば、特許文献１には、基礎杭パイプの打設にかかる位置精度を高めることを必要としないで、適切な架台を容易に構築できると共に、土地利用や保守管理のために架台の下側に出入できる解放された通路を適切に設けることができるパイプ部材による太陽光発電パネル用架台を提供する発明が開示されている。【０００４】  この文献によれば、地面に打ち込まれた一対の基礎杭パイプに、基礎水平パイプが架け渡される状態に固定されることで、基礎部が設けられ、該基礎部の複数が列状に配置されると共に複数の前記基礎水平パイプの高さが統一されるように設置されることで基礎部の列が構成され、該基礎部の列によって構成される前記基礎水平パイプの列に架け渡されるように、一列の土台パイプが複数の該基礎水平パイプ上に固定されることでライン状土台部が設けられ、該ライン状土台部の複数が平行に配置されることで、出入できる解放された通路が設けられるように、ライン状土台部の列が構成され、該ライン状土台部の列を土台とし、前記土台パイプに、太陽光発電パネルを支持する支柱パイプを起立するように固定することで構築される。【０００５】  そして、このようなパイプ部材による太陽光発電パネル用架台によれば、基礎杭パイプの打設にかかる位置精度を高めることを必要としないで、適切な架台を容易に構築できると共に、土地利用や保守管理のために架台の下側に出入できる解放された通路を適切に設けることができるという特別有利な効果を奏することが記載されている。【０００６】  特許文献１のように単管パイプや杭等を用いると、従来、太陽光発電装置の設置工程としては、まず単管パイプ・杭等による支柱・架台の設置をし、次に、架台に太陽光発電パネルを取り付け固定配置し、次に、取り付け固定された複数の太陽光発電パネルの各配線を繋ぎ合わせて電力を纏めて取り出せるように引き出し配線作業等が必要となり、大きく分けて上記３工程が必要となる。
【先行技術文献】
【特許文献】
【０００７】
【特許文献１】特開２０１８−０１９４５５号公報
【発明の概要】
【発明が解決しようとする課題】
【０００８】  しかし、上述のような太陽光発電装置の多くの設置工程は、自然エネルギーの利用のためではあるが、多くの手間とコスト・時間を要することとなるので、環境への負荷低減の観点からも、少しでも簡略化されて簡単にかつ迅速に太陽光発電装置を設置できる構成とすることが好ましい。特に、大規模発電施設になれば、それに用いる太陽光発電パネルの枚数も膨大な数となることから、現場で一枚一枚支柱・架台に取付け作業することは負担が大きい。特に、取付け作業が高所作業となる場合には、風が強い日にはパネルが煽られる場合もあり、また取り付けるべく高所へ太陽光発電パネルを持ち上げる（または引き上げる）作業も必要となり、過剰な負担となることが懸念される。【０００９】  従来、太陽光発電装置を設置するために順次必要とされる、太陽光発電パネルを支持する支柱・架台を組み立てる工程と、その後に当該支柱・架台に太陽光発電パネルを取り付け固定する工程と、さらに取り付けた太陽光発電パネルの配線同士を結合する工程と、の煩雑な作業を少しでも簡略化してより低いコストや工数で組み立て設置が可能な太陽光発電装置とすることが求められている。【００１０】  本発明は、上述の問題点に鑑み為されたものであり、簡略化されて簡単にかつより少ない工程数で迅速に太陽光発電装置を組み立て設置できる構成を提案することを目的とする。また、好ましくは、風の抵抗をより低減し、パネル下方での植物育成を可能とするような太陽光発電装置の構成を提案することを目的とする。
【課題を解決するための手段】
【００１１】  本発明の太陽光発電パネル一体型の太陽光発電装置用架台は、設置領域において上方に凸設された複数の支持柱の少なくとも一つに対して固定され、棒状体を呈し、少なくともその上側曲面に沿って、太陽光発電パネルの全面が該上側曲面から離間することなく、一体的に設けられることを特徴とする。【００１２】  また、本発明の太陽光発電パネル一体型の太陽光発電装置用架台は、好ましくは支持柱に対する固定が、水平に固定されるものであることを特徴とする。【００１３】  また、本発明の太陽光発電パネル一体型の太陽光発電装置用架台は、さらに好ましくは他の太陽光発電パネル一体型の太陽光発電装置用架台と互いに連結して一本の棒状体（例えば一本の梁）を形成可能な係合部を辺縁部に備えることを特徴とする。【００１４】  また、本発明の太陽光発電パネル一体型の太陽光発電装置用架台は、さらに好ましくは辺縁部が、係合される双方の配線を互いに電気的に接続する電気的接続部を備えることを特徴とする。【００１５】  また、本発明の太陽光発電パネル一体型の太陽光発電装置用架台は、さらに好ましくは電気的接続部は、他の太陽光発電パネル一体型の太陽光発電装置用架台と互いに連結して一本の棒状体を形成する場合に、物理的な連結時に同時に電気的接続も完了するジョイントコネクタで構成されることを特徴とする。【００１６】  また、本発明の太陽光発電パネル一体型の太陽光発電装置用架台は、さらに好ましくは長手方向に沿って内部に冷却水の通水が可能な第一空洞を有することを特徴とする。【００１７】  また、本発明の太陽光発電パネル一体型の太陽光発電装置用架台は、さらに好ましくは第一空洞が、設置領域に育成する植物に散水が可能なように、下方に複数の散水孔を備えることを特徴とする。【００１８】  また、本発明の太陽光発電パネル一体型の太陽光発電装置用架台は、さらに好ましくは長手方向に沿って内部に配線が収納される第二空洞を有することを特徴とする。【００１９】  また、本発明の太陽光発電パネル一体型の太陽光発電装置用架台は、さらに好ましくは太陽光発電パネルが、シートタイプに構成されており、太陽光発電装置用架台のベースからスライド摺動させて取り外し交換可能に構成されることを特徴とする。【００２０】  また、本発明の太陽光発電パネル一体型の太陽光発電装置用架台は、さらに好ましくはその断面形状が、上面が曲面で構成され底面が平面で構成さた蒲鉾型（ハーフパイプ型）であることを特徴とする。【００２１】  また、本発明の太陽光発電パネル一体型の太陽光発電装置用架台は、さらに好ましくは太陽光発電装置用架台のベースが、アルミニウム素材で形成されることを特徴とする。【００２２】  また、本発明の太陽光発電パネル一体型の太陽光発電装置用架台は、さらに好ましくは太陽光発電パネルが、ペロブスカイト薄膜太陽電池セルであることを特徴とする。【００２３】  また、本発明の太陽光発電パネル一体型の太陽光発電装置用架台は、さらに好ましくは太陽光発電装置用架台のベースが、透明樹脂素材で形成されることを特徴とする。【００２４】  また、本発明の太陽光発電パネル一体型の太陽光発電装置用架台は、さらに好ましくは太陽光発電装置用架台のベースが、内��に通水が可能なように、中空の筒状に形成されることを特徴とする。【００２５】  また、本発明の太陽光発電パネル一体型の太陽光発電装置用架台は、さらに好ましくは太陽光発電パネルが、太陽光発電装置用架台のベースの全周囲に一体不可分に設けられることを特徴とする。【００２６】  また、本発明の太陽光発電パネル一体型の太陽光発電装置用架台は、さらに好ましくは太陽光発電パネルが、太陽光発電装置用架台のベースの全周囲に、塗布形成されたものであることを特徴とする。
【発明の効果】
【００２７】  簡略化されて簡単にかつ迅速に太陽光発電装置を設置できる構成を実現できる。
【図面の簡単な説明】
【００２８】
【図１】（ａ）は、太陽光発電パネル一体型の太陽光発電装置用架台を、支柱１１００に連結固定してフレーム状に組み立てた全体図であり、（ｂ）は、太陽光発電パネル一体型の太陽光発電装置用架台の構成概要を説明するための斜視図である。
【図２】太陽光発電パネル一体型の太陽光発電装置用架台の端部における断面構成を説明するための概念図である。
【図３】太陽光発電パネル一体型の太陽光発電装置用架台の別態様の円筒状の太陽光発電装置用架台を説明する図であり、（ｂ）乃至（ｄ）は円筒状の太陽光発電装置用架台を連結する場合の連結態様を説明するための、当該連結部位の断面図である。
【発明を実施するための形態】
【００２９】  図１（ａ）は、太陽光発電パネル一体型の太陽光発電装置用架台１０００を、支柱１１００に連結固定してフレーム状に組み立てた全体図である。支柱１１００は、地面に所定の深さまで突き刺して凸設されており、また太陽光発電パネル一体型の太陽光発電装置用架台１０００は、従来は単なる架台（単管パイプや支持フレーム等）に過ぎなかった。
【００３０】  このため、従来、最初に架台を格子状に組み立ててから、当該架台に対して太陽光発電パネルを取り付ける作業を行っていたが、架台一体型パネルとすることで、組み立て工程が容易となり工程数が低減されて迅速な組み立て作業が可能となる。
【００３１】  また、太陽光発電パネル一体型の太陽光発電装置用架台１０００は、その太さ及びその形状及び長さが単管パイプ等の従来の架台・支持フレームと殆ど同一にできることから、上面の受光曲面により太陽追尾装置が不要で朝から夕方まで同様の発電量を確保可能となる。
【００３２】  また、風の抵抗を減らし、組み立て工程が容易となり、機械的に組み立て係合完了されるとともに同時にその配線連結も完了しているようなジョイントコンセント態様とできる。例えば、太陽光発電パネル一体型の太陽光発電装置用架台１０００を円筒形状または半円筒形状とした場合に、単一乾電池の電極のように一端をプラス電極、他端をマイナス電極にでき、電極自体に機械的なジョイント結合機能、結合ロック機能を持たせることも可能である。
【００３３】  また、図１（ａ）から理解できるように、太陽光発電パネル一体型の太陽光発電装置用架台１０００が構造体としての十分な強度を有するので、支柱１１００の間隔等は頭上含めて、乗用トラクターや乗用コンバインが通過できる程度の空間を形成していることが好ましく、これにより当該空間で作付け等の農作業を大型農機具を用いて大規模かつ効率的に推進することが可能となる。なお、このような頭上の上方高くに太陽光発電パネルを設けると、一般には、風の影響が大きくなるので過剰な支持土台等が必要となり、コスト的にも問題となる。しかし、本発明の太陽光発電パネル一体型の太陽光発電装置用架台１０００はそれ自体が棒状体で支柱として機能するものであり、かつその形状・大きさにより、風の抵抗を受けにくいので、高い箇所での設置にも好適である。
【００３４】  また、図１（ｂ）は、太陽光発電パネル一体型の太陽光発電装置用架台１０００の構成概要を説明するための斜視図である。図１（ｂ）では、太陽光発電パネル一体型の太陽光発電装置用架台１０００が半円筒形状を呈する場合について説明しているが、円筒形状やその他の棒状体の形状としてもよく、支持フレーム機能と太陽光発電機能を併せ持ちつつ、外径・大きさ・長さ・形状においては、実質的に従来の単管パイプ等の支持フレームと何ら変らずにその取り扱い・組み立てが可能なものとする。
【００３５】  このため図１（ｂ）に示すように、典型的な太陽光発電パネル一体型の太陽光発電装置用架台１０００は、従来の支持フレーム状態のベース１３００の上面曲面部位に、シート状の薄膜太陽電池パネル１２００が、ベース１３００から離間することなく一体的に取り付けられた態様を呈する。図１（ｂ）では、複数枚の薄膜太陽電池パネル１２００が脱着自在にベース１３００に取り付けられているが、一本の棒状体のベース１３００に対して一枚のシート状の薄膜太陽電池パネル１２００を脱着自在に取り付けてもよい。
【００３６】  図１（ｂ）に示すように、ベース１３００の上面の曲面に沿って一体的に曲面から離間する事無くシート状の薄膜太陽電池パネル１２００が設けられることにより、太陽光追尾機能を有さなくても、太陽光の高度や方位に殆ど関係無く、いずれの季節においても朝から夜までほぼ一定の発電量を得られるものと期待できる。また、その上面の上方へ凸形状の曲面形状ゆえに、風や雨に対しても抵抗が少ないので、風等で飛ばされる懸念もない。
【００３７】  しかも太陽光発電パネル一体型の太陽光発電装置用架台１０００は、棒状体であって従来の支持フレーム等と何ら変わらない大きさ・太さ等であることから、複数の太陽光発電パネル一体型の太陽光発電装置用架台１０００を頭上に設けた場合でも、それらの間隙から十分な太陽光や外気が入射されることとなる。このため、複数の太陽光発電パネル一体型の太陽光発電装置用架台１０００を頭上に少し間隙を空けて設けても、その下部空間で、作物を育成したりお茶を楽しむカフェ空間としたり読書をしたり等の寛ぎ空間を演出することも可能である。これは、従来、太陽光発電パネルの下には太陽光が全く入射せずに草も生えない殺伐とした荒れた土壌またはコンクリート砂漠と化していた事に比して、全く異なるソーラーシェアリングを可能とする。
【００３８】  そして、作物を育成する場合には、作物毎に光合成等育成の飽和点光量が知られており、飽和点以上に過剰な太陽光の照射はむしろ作物の生産性を低下させることが知られている。このため、頭上に設置された太陽光発電パネル一体型の太陽光発電装置用架台１０００の下部空間で作成する作物に最適な光量（典型的には、年間または月間または一日等任意の一定期間の飽和光強度の光量）となるように、太陽光発電パネル一体型の太陽光発電装置用架台１０００の設置間隔や設置本数・設置密度等を調整することもできる。この場合でも、太陽光発電パネル一体型の太陽光発電装置用架台１０００は、実質的に単管パイプ等の棒状体の支持フレームとして取り扱いが可能であるため、取付けや取り外し撤去及び移設作業が極めて容易である。下部空間については作物を最大量収穫可能な太陽光量としながら、同時に頭上では太陽光発電をすることができるので好ましい。
【００３９】  図２は、太陽光発電パネル一体型の太陽光発電装置用架台１０００の端部における断面構成を説明するための概念図である。図２に示すように、太陽光発電パネル一体型の太陽光発電装置用架台１０００は、支柱の一部としての骨組み構成機能を有しながら、上面曲面にはシート状の薄膜太陽電池パネル１２００を係止爪１３１０によってスライド収納／撤収可能に備え、長手方向に延伸された複数の内部空洞を備える。
【００４０】  図２に示す太陽光発電パネル一体型の太陽光発電装置用架台１０００の断面は、一例として上面が上に凸の曲面で底面が平面状のハーフパイプ形状（蒲鉾型）を呈している。そして、その内部には冷却水の通水が可能な四つの第一空洞１３３０と、配線が収容される第二空洞１３２０とを有する。
【００４１】  図２では、冷却水は通水ホース１３４０内を通るように該通水ホース１３４０が第一空洞１３３０内に配置されている構成を示しているが、第一空洞１３３０内に直接通水する構成を採用しても良い。また、通水ホース１３４０や第一空洞１３３０内の下方に適宜散水孔を設けておけば、その下部空間で育成される作物等に自動的に散水（水やり）したり、夏場の冷却用クーラント散水等に利用することもできる。また、通水によって太陽光発電パネル一体型の太陽光発電装置用架台１０００を冷却して発電効率の低下を抑止することができるとともに、通水後の水を温水として適宜利用（すなわち太陽熱温水器として利用）することも可能である。
【００４２】  さらに、図２では、配線が収容される第二空洞１３２０が、ベース１３００の曲面頭頂部に設けられた中央凹部と、その上を蓋として閉じる１２００シート状の薄膜太陽電池パネル１２００により形成されている。このような態様によって、シート状の薄膜太陽電池パネル１２００をスライド撤収すれば配線空間が外部露出されるので、外側から配線のメンテナンスや交換等の対応が容易となるので好ましい。しかし、これに限定されるものでは無く、棒状体の太陽光発電パネル一体型の太陽光発電装置用架台１０００の長手方向に配線を収納できるような内部空洞が設けられていれば良い。
【００４３】  また、図２に示すように、太陽光発電パネル一体型の太陽光発電装置用架台１０００同士を複数接続して、さらに長い一本の棒状体を構成する場合に、互いの電気的接続を任意形状・構成のジョイントコネクタ１３５０により構成可能である。例えば、複数接続される太陽光発電パネル一体型の太陽光発電装置用架台１０００の機械的・構造的な連結接続が為されると同時に、別途の配線接続作業を要することなく、自動的に電気的にも接続されるような雄雌コンセント態様とすることができる。これにより、配線接続の手間と時間・工数を省略することが可能となるので好ましい。
【００４４】  また、このような複数の太陽光発電パネル一体型の太陽光発電装置用架台１０００同士を、より容易に互いに連結するために双方の端部に不図示の係合部を設けても良い。係合部は、ワンタッチで互いに接続でき、またさらに好ましくは接続状態でロックできるような公知の任意態様を採用することができる。
【００４５】  また、図２においては、例えば支柱１１００等の他の構造物１４００に対してボルトナット１４１０で取付け固定する例を説明しているが、これに限定されるものではなく他の係止治具を用いても良く、単管パイプや各種支柱を互いに係止固定するための任意の固定方法を適用することができる。なお、支柱１１００等の他の構造物１４００は、太陽光発電パネル一体型の太陽光発電装置用架台１０００とともに、太陽光発電装置の骨組みを構成するものではあるが、太陽光発電パネル一体型の太陽光発電装置用架台１０００それ自体が当該骨組みとしての構造体の一部を担うものである。
【００４６】  このため、太陽光発電パネル一体型の太陽光発電装置用架台１０００を支えるためにこれと並行してまたは隣接して他の骨組みや棒状体は必要ないものとなる。別の観点から表現すれば、略水平方向に懸架される骨組み（棒状体）の支柱それ自体が、当該外形形状や大きさを実質的に何ら巨大化する事無く、太陽光発電も行い、好ましくはその配線も収容し、さらに好ましくは内部に通水を可能とし、さらに好ましくは通水した水を当該太陽光発電領域（設置領域）に散水することが可能になるものとする。
【００４７】  また、図３（ａ）は、太陽光発電パネル一体型の太陽光発電装置用架台１０００の別態様の円筒状の太陽光発電装置用架台３０００を説明する図である。円筒状の太陽光発電装置用架台３０００は、その表面にペロブスカイトセルが吹付塗装のようにして設けられている。このため、円筒状の太陽光発電装置用架台３０００は、支柱等としての機能を有するとともに発電機能も有し、さらに内部空間に配線や通水をすることが可能である。いわば、水道ホース機能と配線チューブと太陽光発電パネルと骨組み支柱（棒状体）機能とを全て併せ持ったマルチハイブリッド太陽光発電支柱である。
【００４８】  ペロブスカイトは、インクジェットプリンタのように吹付け塗装や印刷することが可能である。このため、従来のシリコン等のように、インゴットからスライス等しなくて良いので圧倒的にコスト低減に寄与することができる。また、その発電効率は、現在ではシリコンと遜色なく２２〜２３％程度以上の変換効率が実現されている。ペロブスカイト太陽電池の代替として、色素増感太陽電池や有機薄膜太陽電池等も使用可能であり、例えば透過率８０％以上で色素増感型のセルとして用いても良い。
【００４９】  円筒状の太陽光発電装置用架台３０００の基材として、透明樹脂を用いることとすれば、ペロブスカイトも透明化が可能であるため、円筒状の太陽光発電装置用架台３０００全体が透明な構成態様とすることが可能になる。
【００５０】  図３（ｂ）乃至図３（ｄ）は、円筒状の太陽光発電装置用架台３０００（１），３０００（２）を連結する場合の連結態様を説明するための、当該連結部位の断面図である。図３に示される態様に限定されるものでは無く、任意の公知の棒状体接続態様を採用することができる。
【００５１】  また、上述した構成等によって、太陽光パネル等発電部位の温度を通水で下げるとともにその水で温水給湯も可能となり、さらにはいわゆる温度差冷房も可能となる。温度差冷房は、特定の素材による一端が高温になると他端が冷却される特性を用いて、行われる冷房である。例えば、屋上のハーブ園の頭上に本件発明による太陽光発電装置を設置してもよい。適度な日射をハーブ等のために確保しながら、同時に太陽光発電によるメリットや、温水のメリット等も享受可能となる。
【００５２】  また、図１の構成では、シート状スリット態様の発電パネルによって交換メンテナンス可能であり、数年〜数十年位で経年劣化する場合ある太陽光発電パネルを、適宜交換することが可能であるので好ましい。
【００５３】  上述の説明による太陽光発電パネル一体型の太陽光発電装置用架台１０００等は、実施形態での説明に限定されるものではなく、本発明の目的の範囲内かつ当業者に自明な範囲内で適宜構成や構造・素材を変更したり、アレンジすることができるものである。
【産業上の利用可能性】
【００５４】  本発明は、特に休耕田や耕作放棄地やビル屋上等、従来  人から活用を見落とされてきたような土地や空間等にも好適に採用可能である。
【符号の説明】
【００５５】  １０００・・太陽光発電パネル一体型の太陽光発電装置用架台、１１００・・支柱、１２００・・シート状の薄膜太陽電池パネル、１３００・・ベース。
【図１】
0006960196.tif 000002
【図２】
0006960196.tif 000003
【図３】
0006960196.tif 000004